(57)【特許請求の範囲】
【請求項１】
茶湯の注ぎ口を備えるポット本体と、このポット本体の口部にて着脱自在に支承され、その内部に茶葉をお湯とともに収容しフィルターにて茶湯として濾し取る浸出カップとの組合せになるティーポットであって、
前記浸出カップは、その底部にポット本体内に通じる開孔を有しポット本体の口部に支承されるカップ本体と、このカップ本体の内側に配置されその底部に該カップ本体の開孔につながる底面開孔を有する内カップからなり、
カップ本体と内カップの相互間に、カップ本体の開孔又は内カップの底面開孔の何れか一方を閉塞させて内カップの中で茶葉を湯と共に保持する弁体を設け、カップ本体と内カップもしくはカップ本体とそれにかぶさる蓋体とを、内カップのカップ本体の軸芯に対する直線的な移動にて弁体による閉塞を解除して茶湯のみをポット本体内に流出させる傾斜軌道を介して連係してなり、
更に、カップ本体と内カップの相互間にそれらを互いに離反させカップ本体の開孔および内カップの底面開孔の少なくとも一方を弁体に強く押し当てる弾性部材を有することを特徴とするティーポット。
【請求項２】
フィルターは茶湯のみを濾し取る濾網とこの濾網を保持し内カップの底部にて配置されるフレームからなる、請求項１記載のティーポット。
【請求項３】
内カップは、その長手方向において少なくとも２つに分割可能な組み立て部材からなり、その相互間でフィルターを挟持して固定保持するものである、請求項１又は２記載のティーポット。
【発明の詳細な説明】
【０００１】
【発明の属する技術分野】
本発明は紅茶等の茶葉を予め浸出カップの中に入れてここに湯を注ぎ込み、該茶葉からお茶が充分に浸出した状態で茶湯のみをポット本体内に流出させる、いわゆる浸出タイプのティーポットに関し、該ポットの構造の簡素化を図りつつ茶葉と茶湯の確実な分離を実現しようとするものである。
【０００２】
【従来の技術】
浸出タイプのティーポットは、その基本構成が、茶湯を保持するポット本体と、このポット本体の口部に支承され、茶湯をポット本体内へ直接流出させる着脱式の浸出カップとの組合せからなっている。
【０００３】
浸出カップ内には茶葉と茶湯を分離するためのフィルターが配置されていて、茶湯は浸出カップの底部に設けた止水栓を開放することによってポット本体に注出されるようになっており、この点に関する先行技術としては、例えば実用新案登録第３０１６７３９号公報が参照される。
【０００４】
ところで、従来のティーポットは、浸出カップにおける茶湯の注出機構が複雑で部品点数が多いことから、長期の使用において作動不良を引き起し茶湯の確実な注出が行えないことが懸念されること、また、かかる浸出カップの洗浄等に際して分解組み立てを行う場合にその作業が煩雑であり、部品を紛失してしまうこともあって、その構造の簡素化が求められている。
【０００５】
【発明が解決しようとする課題】
本発明の課題は、浸出カップの構造の簡素化を図り、茶葉と茶湯を確実に分離できる新規なティーポットを提案するところにある。
【０００６】
【課題を解決するための手段】
本発明は、茶湯の注ぎ口を備えるポット本体と、このポット本体の口部にて着脱自在に支承され、その内部に茶葉をお湯とともに収容しフィルターにて茶湯として濾し取る浸出カップとの組合せになるティーポットであって、
前記浸出カップは、その底部にポット本体内に通じる開孔を有しポット本体の口部に支承されるカップ本体と、このカップ本体の内側に配置されその底部に該カップ本体の開孔につながる底面開孔を有する内カップからなり、
カップ本体と内カップの相互間に、カップ本体の開孔又は内カップの底面開孔の何れか一方を閉塞させて内カップの中で茶葉を湯と共に保持する弁体を設け、カップ本体と内カップもしくはカップ本体とそれにかぶさる蓋体とを、内カップのカップ本体の軸芯に対する直線的な移動にて弁体による閉塞を解除して茶湯のみをポット本体内に流出させる傾斜軌道を介して連係してなり、
更に、カップ本体と内カップの相互間にそれらを互いに離反させカップ本体の開孔および内カップの底面開孔の少なくとも一方を弁体に強く押し当てる弾性部材を有することを特徴とするティーポットである。
【０００８】
フィルターは茶湯のみを濾し取る濾網とこの濾網を保持し内カップの底部にて配置されるフレームからなるものが有利に適合する。
【０００９】
内カップは、その長手方向において少なくとも２つに分割可能な組み立て部材からなり、その相互間で挟持してフィルターを固定保持することもできる。
【００１０】
【発明の実施の形態】
浸出カップを構成するカップ本体と内カップとの相互間にカップ本体の開孔又は内カップの底面開孔の何れか一方を閉塞する弁体を設け、内カップあるいは蓋体をカップ本体の周りに回動させて該内カップをカップ本体の軸芯に沿う向きに直線的に移動させて弁体による閉塞状態を解除して内カップの中の茶湯のみをポット本体内へと流出させる。
【００１１】
【実施例】
以下、図面を参照して本発明をより具体的に説明する。図１、図２は本発明に従うティーポットと基本構成を同様に構成してある参考例となるティーポットの側面の部分断面と平面をそれぞれ示したものである。
【００１２】
図において番号１は茶湯を貯溜するポット本体である。このポット本体１はカップに茶湯を注ぐ注ぎ口１ａとポット本体１を取り扱うための把手１ｂを備える。
【００１３】
また、２は浸出カップである。この浸出カップ２はポット本体１の口部において適度な嵌合状態でもって支承されるカップ本体３とこのカップ本体３の内側に配置される内カップ４からなる。
【００１４】
カップ本体３はその底部にポット本体１に通じる開孔３ａを有しており、内カップ４はその底部にカップ本体３の開孔３ａを経てポットにつながる底面開孔４ａを有している。
【００１５】
また、５はカップ本体３と内カップ４の相互間に配置される弁体である。この弁体５はこの例ではカップ本体３の底部で一体的に成形したものとして示してあり、内カップ４の底面開孔４ａを閉塞させてその中で茶葉を湯と共に保持するようになっている。
【００１６】
６は内カップ４の底部に配置されるフィルターである。このフィルター６は茶葉と茶湯を分離する濾網６ａとこの濾網６ａを保持するフレーム６ｂからなる。
【００１７】
また、７は傾斜軌道である。この傾斜軌道７は、カップ本体３の口部の周りにおいて一体成形された傾斜面を有する少なくとも１つの凸部７ａと内カップ４のカップ本体３に対する係止部内壁面にて一体成形され該凸部７ａにそれぞれ適合する凹部７ｂからなっていて、カップ本体３および内カップ４のそれぞれに設けられたレバー３ｂ、４ｂを相互に近接させるべく内カップ４をカップ本体３の周りに沿って回動させた場合に、内カップ４の凹部７ｂがカップ本体３の凸部７ａの傾斜面に沿って摺動しながら内カップ４のみがカップ本体３の軸芯Ｌに沿い上方に向けて移動し、その結果として図３に示すように、弁体５による閉塞が解除され内カップ４の中の茶湯がポット本体１内へ流出する。
【００１８】
傾斜軌道７はカップ本体３において凸部とし、内カップ４において凹部としたが、これは逆であってもかまわない。
【００１９】
図４にカップ本体３の口部の外観と、内カップ４の係止部の内側壁をわかり易く図解して示す。
【００２０】
図５は本発明に従うティーポットの実施例を示したものであり、図１〜図４で説明した構成と異なる部分について主に説明する。このティーポットはカップ本体３と内カップ４の相互間にそれらを互いに離反させるスプリングの如き弾性部材８を配置するとともに、カップ本体３を内カップ４とともに覆い隠す蓋体９を配置してこの蓋体９とカップ本体３の相互間にねじ形式になる傾斜軌道７を設けた構造のものである。
【００２１】
図５に示したティーポットにおいて弾性部材８はカップ本体３の開孔３ａ又は内カップ４の底面開孔４ａの何れか一方（この例では内カップ４の底面開孔４ａのみ）を弁体５に押し当て、この状態で内カップ４の中で茶葉と湯を保持する。
【００２２】
蓋体９をカップ本体３に被せ、図６に示すように傾斜軌道７に沿い該蓋体９を回動させていくと内カップ４のみがカップ本体３の軸芯Ｌに沿いポット本体１の底部に向けて移動していき、底面開孔４ａの弁体５の閉塞が解除され内カップ４の中の茶湯がポット本体１内へ流出する（この例では、カップ本体３の中央に設けた突起が弁体５を押し上げて閉塞を解除する。）。
【００２３】
なお、本実施例においては、弁体５および弾性部材８として金属製のボール弁やスプリングを使用しているが、材質、形状に関してはこれにのみ限ることはなく適宜変更が可能である。
【００２４】
図７は本発明に従うティーポットの他の例を示したものである。この例は、内カップ４がその底部においてねじもしくはアンダーカットによってつながる２分割形式の組み立て部材からなっていて、その相互間でフィルター６を挟持して固定保持するようになっている。
【００２５】
傾斜軌道７は内カップ４とカップ本体３の相互間に設けられている。
この傾斜軌道７は基本的にはねじ形式で係合するが、その要部を図８に示す如くカップ本体３の凸部７ａは短尺であって、該カップ本体３の周りで９０°毎、４箇所に設けられており、この凸部７ａに適合する凹部７ｂも内カップ４の係止部内壁面に９０°毎、４箇所に設けられている。
【００２６】
このタイプのティーポットは、図７に示した状態で弁体５によって内カップ４の底面開孔４ａが閉塞しており、茶葉と湯を保持する。
【００２７】
傾斜軌道７に沿い内カップ４をカップ本体３の周りに回動させていくと内カップ４のみがカップ本体３の軸芯Ｌに沿いポット本体１の底部に向けて移動していき、ほぼ９０°回動させたところで図９に示すように底面開孔４ａの弁体５による閉塞が完全に解除される。
【００２８】
図８のような短尺の傾斜軌道７においては凸部７ａと凹部７ｂの適合箇所を螺旋状になる単一の凸部７ａに比較して増加させることができるので茶湯の流出を簡便に行い得る利点がある。凸部７ａ、凹部７ｂは４箇所設けた例として説明したが、本発明においてはその設置個数はとくに限定されものではなく必要に応じてその数を増減できる。
【００２９】
また、傾斜軌道７の凹部７ｂは内カップ４に設けることができるが、蓋体９に設けるようにしてもよい。
【００３０】
ティーポットを構成する各部材の材質は、本発明ではとくに限定はされないが、取り扱い中の破損を回避するために樹脂製のものが好適であり、かかる樹脂としては耐熱性に優れるポリプロピレンやポリカーボネイト樹脂等を用いることができる。
【００３１】
【発明の効果】
本発明によれば、浸出カップの構造を簡素化できるので洗浄等のメンテナンスが簡単であり、内カップを傾斜軌道に従い移動させるだけで茶湯を確実にポット本体へ流出させることができる。
【図面の簡単な説明】
【図１】  本発明の参考例となるティーポットの構成説明図である。
【図２】  図１に示したティーポットの平面図である。
【図３】  図１に示したティーポットの茶湯の流出状況を示した図である。
【図４】  浸出カップの外観を示した図である。
【図５】  本発明に従うティーポットの例を示した図である。
【図６】  図５に示したティーポットの茶湯の流出状況を示した図である。
【図７】  本発明に従うティーポットの他の例を示した図である。
【図８】  浸出カップの要部の外観を示した図である。
【図９】  図７に示したティーポットの茶湯の流出状況を示した図である。
【符号の説明】
１ ポット本体
１ａ 注ぎ口
１ｂ 把手
２ 浸出カップ
３ カップ本体
３ａ 開孔
３ｂ レバー
４ 内カップ
４ａ 底面開孔
４ｂ レバー
５ 弁体
６ フィルター
６ａ 濾網
６ｂ フレーム
７ 傾斜軌道
７ａ 凸部
７ｂ 凹部
８ 弾性部材
９ 蓋体
Ｌ 軸芯
【図１】
0004627890.tif 000002
【図２】
0004627890.tif 000003
【図３】
0004627890.tif 000004
【図４】
0004627890.tif 000005
【図５】
0004627890.tif 000006
【図６】
0004627890.tif 000007
【図７】
0004627890.tif 000008
【図８】
0004627890.tif 000009
【図９】
0004627890.tif 000010